(57)【要約】      （修正有）【課題】田畑転換方法および灌漑排水システムに関し、水田として利用していた圃場を畑地として利用する、田畑転換方法および灌漑排水システムを提供する。【解決手段】水田として利用していた圃場１００を畑地に転換するとき、圃場に畝１０２を形成すると共に、その畝の内部に、畝の長手方向に延びる溝状の遮水部材１２と遮水部材の上側に配置される有孔管１４とを施工する。そして、圃場を畑地から水田に戻すとき、遮水部材および有孔管を圃場から撤去する。【選択図】図２
2018166407.tif 000002
【特許請求の範囲】
【請求項１】
圃場を水田と畑地とに転換する田畑転換方法であって、
（ａ）水田として利用していた前記圃場を畑地に転換するとき、当該圃場に畝を形成すると共に、前記畝の内部に、当該畝の長手方向に延びる溝状の遮水部材と前記遮水部材の上側に配置される有孔管とを施工するステップ、および
（ｂ）前記圃場を畑地から水田に戻すとき、前記遮水部材および前記有孔管を当該圃場から撤去するステップを含む、田畑転換方法。
【請求項２】
（ｃ）前記圃場を畑地として利用しているときに前記畝を立て替えるとき、新しく形成した当該畝の内部に、前記遮水部材と前記有孔管とを施工し直すステップを含む、請求項１記載の田畑転換方法。
【請求項３】
（ｄ）前記圃場の地中に暗渠を施工するステップを含む、請求項１または２記載の田畑転換方法。
【請求項４】
水田を畑地として利用するための灌漑排水システムであって、
畝の内部に埋設され、前記畝の長手方向に延びる溝状の遮水部材、および
前記遮水部材の上側であってかつ前記畝の内部に埋設され、前記畝の長手方向に延びる有孔管を備える、灌漑排水システム。
【請求項５】
前記遮水部材は、前記畝の高さ方向中央よりも上側に配置される、請求項４記載の灌漑排水システム。
【請求項６】
前記有孔管は、前記畝の幅方向中央から側方にずれた位置に配管される、請求項４または５記載の灌漑排水システム。
【発明の詳細な説明】
【技術分野】
【０００１】
この発明は田畑転換方法および灌漑排水システムに関し、特にたとえば、水田として利用していた圃場を畑地として利用する、田畑転換方法および灌漑排水システムに関する。
【背景技術】
【０００２】
従来の灌漑排水システムの一例が特許文献１に開示されている。特許文献１の技術は、地下から水を供給して土壌中の水分を作物の生育にとって適切な状態に保つ地下灌漑システムであって、圃場の地中に埋設される複数の遮水部材を備える。遮水部材は、上側開口の横管状に形成され、その底部には、長手方向に並ぶ複数の溝部が形成される。また、遮水部材の内部には、その全長に亘って均等に水を供給するための有孔管（給水部材）が挿通される。そして、灌漑時には、保水部材の内部に重力水状態の土壌層を形成し、そこから毛細管現象によって土壌に水を供給する。これによって、土壌の保水力が弱く、雨水などが直ぐに地下深くに浸透してしまう畑地であっても、適切に灌漑できる。
【先行技術文献】
【特許文献】
【０００３】
【特許文献１】特開２０１３−５７４５号公報
【発明の概要】
【発明が解決しようとする課題】
【０００４】
水田土壌は、一般的に粘性が高く、水はけ（透水性）が悪い場合が多い。このため、水田から転換した畑地（水田転換畑）では、土壌中に用水を適切に供給可能であることはもちろんのこと、湿害を防止するために土壌中の過剰水分を適切に排出できることが重要となる。
【０００５】
特許文献１の有孔管は、雨水などの過剰水分の排出にも利用される。しかし、透水性の低い水田土壌では過剰水分が地下に浸透し難いため、特許文献１の技術のように地下に埋設した有孔管を用いて排水すると、排水効率が悪くなる。したがって、排水性能に優れる灌漑排水システムが求められる。
【０００６】
また、特許文献１の技術では、地下の比較的深い位置に遮水部材および有孔管を埋設するため、大型機械による掘削が必要となり、施工コストがかかる。また、遮水部材および有孔管のやり替えに手間が掛かるため、一度施工されたものはシステムの寿命がくるまで常設されることが前提となっている。
【０００７】
それゆえに、この発明の主たる目的は、新規な、田畑転換方法および灌漑排水システムを提供することである。
【０００８】
この発明の他の目的は、実施または施工が容易であり、水田から転換した畑地においても灌漑排水を適切に実行できる、田畑転換方法および灌漑排水システムを提供することである。
【課題を解決するための手段】
【０００９】
第１の発明は、圃場を水田と畑地とに転換する田畑転換方法であって、（ａ）水田として利用していた圃場を畑地に転換するとき、当該圃場に畝を形成すると共に、畝の内部に、当該畝の長手方向に延びる溝状の遮水部材と遮水部材の上側に配置される有孔管とを施工するステップ、および（ｂ）圃場を畑地から水田に戻すとき、遮水部材および有孔管を当該圃場から撤去するステップを含む、田畑転換方法である。
【００１０】
第１の発明では、ステップ（ａ）で水田として利用していた圃場を畑地に転換するとき、圃場に畝を形成すると共に、畝の内部に遮水部材と有孔管とを埋設する。遮水部材は、作物の根圏に供給する水を畝内で保持しておくための保持部材であると共に、畝内の余剰水分を受け止めて有孔管内に導くためのガイド部材でもあり、畝の長手方向に延びる溝状に形成される。また、有孔管は、灌漑用の水を畝内に供給したり、畝内から過剰水分を排出したりするための管であって、遮水部材の上側において畝内を長手方向に貫通するように設けられる。このように遮水部材および有孔管を畝内に埋設する、つまり浅埋設とすることで、掘削専用機械などを用いた掘削作業が不要となる。すなわち、遮水部材および有孔管の施工が容易となり、施工コストも低減される。
【００１１】
一方、ステップ（ｂ）で圃場を畑地から水田に戻すときには、遮水部材および有孔管を圃場から撤去する。遮水部材および有孔管の撤去は、遮水部材および有孔管が畝内に埋設されていることから可能となるものである。なお、圃場を畑地に再転換するときには、ステップ（ａ）に戻って、畝の内部に遮水部材および有孔管が再施工される。
【００１２】
第１の発明によれば、遮水部材および有孔管を畝内に埋設するので、遮水部材および有孔管の施工および撤去を容易かつ低コストで実行できる。また、圃場に対する用排水効果の発現も早くなる。したがって、田畑転換を容易かつ低コストで実施でき、水田から転換した畑地においても灌漑排水を適切に実行できる。
【００１３】
第２の発明は、第１の発明に従属し、（ｃ）圃場を畑地として利用しているときに畝を立て替えるとき、新しく形成した当該畝の内部に、遮水部材と有孔管とを施工し直すステップを含む。
【００１４】
第２の発明では、栽培する作物の種類に応じて畝を立て替えるとき、畝の形状に合わせて遮水部材と有孔管とを施工し直す。このような遮水部材および有孔管のやり替えは、遮水部材および有孔管が畝内に埋設されていることから可能となるものである。
【００１５】
第３の発明は、第１または第２の発明に従属し、（ｄ）圃場の地中に暗渠を施工するステップを含む。
【００１６】
第３の発明では、遮水部材および有孔管を施工する前などに、圃場の地中に暗渠管および弾丸暗渠などの暗渠を施工する。この暗渠は、稲作時および畑作時に関係なく常設されるものである。これによって、圃場の排水性能をより向上させることができる。
【００１７】
第４の発明は、水田を畑地として利用するための灌漑排水システムであって、畝の内部に埋設され、畝の長手方向に延びる溝状の遮水部材、および遮水部材の上側であってかつ畝の内部に埋設され、畝の長手方向に延びる有孔管を備える、灌漑排水システムである。
【００１８】
第４の発明では、灌漑排水システムは、水田を畑地として利用する際に灌漑排水を行うための配管システムであって、圃場に形成される畝内に埋設される遮水部材と有孔管とを備える。遮水部材は、作物の根圏に供給する水を畝内で保持しておくための保持部材であると共に、畝内の余剰水分を受け止めて有孔管内に導くためのガイド部材でもあり、畝の長手方向に延びる溝状に形成される。また、有孔管は、灌漑用の水を畝内に供給したり、畝内から過剰水分を排出したりするための管であって、遮水部材の上側において畝内を長手方向に貫通するように設けられる。このように遮水部材および有孔管を畝内に埋設する、つまり浅埋設とすることで、掘削専用機械などを用いた掘削作業が不要となる。
【００１９】
第４の発明によれば、遮水部材および有孔管を畝内に埋設するので、遮水部材および有孔管の施工および撤去を容易かつ低コストで実行できる。また、圃場に対する用排水効果の発現も早くなる。したがって、灌漑排水システムを容易かつ低コストで施工でき、水田から転換した畑地においても灌漑排水を適切に実行できる。
【００２０】
第５の発明は、第４の発明に従属し、遮水部材は、畝の高さ方向中央よりも上側に配置される。
【００２１】
第５の発明によれば、遮水部材の水分保持機能およびガイド機能を適切に保持しつつ、遮水部材および有孔管の施工をより容易に行うことができる。
【００２２】
第６の発明は、第４または第５の発明に従属し、有孔管は、畝の幅方向中央から側方にずれた位置に配管される。
【００２３】
第６の発明によれば、作物の根が有孔管と干渉することを抑制できる。
【発明の効果】
【００２４】
この発明によれば、遮水部材および有孔管を畝内に埋設するので、遮水部材および有孔管の施工および撤去を容易かつ低コストで実行できる。また、圃場に対する用排水効果の発現も早くなる。したがって、田畑転換および灌漑排水システムの施工を容易かつ低コストで実施でき、水田から転換した畑地においても灌漑排水を適切に実行できる。
【００２５】
この発明の上述の目的、その他の目的、特徴および利点は、図面を参照して行う後述の実施例の詳細な説明から一層明らかとなろう。
【図面の簡単な説明】
【００２６】
【図１】この発明の一実施例である灌漑排水システムの配管構成を示す平面図である。
【図２】図１の灌漑排水システムを示す部分断面図である。
【図３】図１の灌漑排水システムを排水用途のみに使用するときの配管構成を示す平面図である。
【図４】図３の灌漑排水システムの下流側端部を示す部分断面図である。
【図５】この発明の他の実施例である灌漑排水システムの配管構成を示す平面図である。
【図６】図５の灌漑排水システムが備える自動給水装置の一例を示す図解図である。
【発明を実施するための形態】
【００２７】
図１および図２を参照して、この発明の一実施例である灌漑排水システム１０（以下、単に「システム１０」と言う。）は、水田を畑地として利用する際に灌漑および排水を行うための配管システムであって、主として葉物野菜の栽培に用いられる。
【００２８】
詳細は後述するように、システム１０は、圃場１００に形成される複数の畝１０２のそれぞれに埋設される遮水部材１２と有孔管１４とを備え、用水を畝１０２内に供給したり、畝１０２内から不要な水（過剰水分）を排出したりする。また、このシステム１０は、後述する田畑転換方法において説明するように、水田として利用していた圃場１００を畑地に転換するときに施工されて、圃場１００を水田に戻すときには撤去されるものである。以下、具体的に説明する。
【００２９】
図１および図２に示すように、システム１０は、各畝１０２の内部に埋設される溝状の遮水部材１２と、各遮水部材１２の上側において各畝１０２の内部に埋設される有孔管１４とを備える。
【００３０】
なお、圃場１００に形成される畝１０２の数、形状および大きさ等は、圃場１００の大きさや栽培する作物の種類に応じて適宜設定されるものであり、一般的な畝１０２であれば特に限定されるものではない。この実施例では、畝１０２は、断面台形状の畝であって、その上辺幅（畝肩幅）は、たとえば６０−１２０ｃｍであり、その下辺幅（畝裾幅）は、たとえば７０−１３５ｃｍである。また、畝１０２の高さは、たとえば１５−３０ｃｍであって、その長さは、たとえば数ｍ−数百ｍである。さらに、畝１０２間に形成される畝溝１０４の幅は、たとえば２５−４０ｃｍである。
【００３１】
遮水部材１２は、作物の根圏に供給する水を畝１０２内で保持しておくための保持部材であると共に、畝１０２内の余剰水分を受け止めて有孔管１４内に導くためのガイド部材でもある。遮水部材１２は、ポリエチレンおよびポリ塩化ビニル等の合成樹脂またはステンレス等の金属などの遮水性を有する材質によって、上側開口の溝状に形成され、畝１０２の長手方向に延びるように畝１０２の略全長に亘って設けられる。この実施例では、遮水部材１２は、ポリ塩化ビニル製の可撓性を有する長尺帯状の遮水シートによって、幅方向中央部から両側部に向かって斜め上方に延びる溝状に形成される。
【００３２】
有孔管１４は、ポリエチレンおよびポリ塩化ビニル等の合成樹脂または合成ゴムなどによって形成され、その管壁全体に分散して形成される複数の貫通孔を有する。有孔管１４は、灌漑用の水を畝１０２内に供給したり、畝１０２内から過剰水分を排出したりするための管であって、遮水部材１２の上側において、畝１０２を長手方向に貫通するように設けられる。この実施例では、有孔管１４は、遮水部材１２の上面に直接載置されるように配管される。ただし、遮水部材１２から少し離れた上方位置に有孔管１４を配管して、遮水部材１２と有孔管１４との間に土壌層が形成されるようにしてもよい。有孔管１４の内径は、たとえば２０−６０ｍｍである。
【００３３】
なお、有孔管１４の管壁に形成される貫通孔は、管壁を直線状に貫くものに限定されず、多孔質状や網目状のものでもよい。また、貫通孔の形状、大きさ、形成位置および数などは、適用する圃場１００の土壌成分などに応じて適宜設定されるものであり、これらを調整変更することによって、有孔管１４からの給排水量を制御することが可能である。
【００３４】
上述のような遮水部材１２および有孔管１４の埋設位置は、畝１０２の土中であれば特に限定されない。つまり、遮水部材１２および有孔管１４は、畝溝１０４の底面以上の高さ位置において、畝１０２内に埋設されていればよい。ただし、その中でも、遮水部材１２は、畝１０２の高さ方向中央よりも上側に配置することが好ましい。これにより、遮水部材１２の水分保持機能およびガイド機能を適切に保持しつつ、遮水部材１２および有孔管１４の施工をより容易に行うことができるからである。また、遮水部材１２の幅は、畝１０２の上辺幅の半分から等倍までの大きさに設定することが好ましい。
【００３５】
また、有孔管１４は、畝１０２の幅方向中央を中心として、そこから畝１０２の上辺幅の四半分の大きさだけ側方にずれた位置までの範囲に配管されることが好ましい。その中でも、有孔管１４は、畝１０２の幅方向中央から側方にずれた位置に配管されることがより好ましい。これにより、作物の根が有孔管１４と干渉することを抑制できるからである。
【００３６】
なお、有孔管１４は、遮水部材１２の幅方向中央部に配置されてもよいし、遮水部材１２の側部に配置されてもよい。また、栽培する作物の種類に合わせて、遮水部材１２および有孔管１４の埋設位置を畝１０２ごとに変更するようにしてもよい。
【００３７】
また、図示は省略するが、有孔管１４の外周面は、貫通孔への作物の根の入り込みを防止するために、透水性を有する防根シートによって覆っておくことが好ましい。防根シートは、作物の根よりは小さい（根が入り込むことはできない）が、水は無加圧で通過する微細な孔を有するシートである。
【００３８】
また、各有孔管１４の上流側端部は、第１配管２０を介して給水タンク２２に接続される。第１配管２０は、給水タンク２２から供給される水を有孔管１４まで送る給水用の配管である。給水タンク２２は、圃場１００に供給するための水を貯留するタンクであり、たとえば、農業用水配管（図示せず）などと接続されて、農業用水配管から送られてくる水をその内部に貯留する。なお、給水タンク２２は、水のみを供給するだけでなく、たとえば給水タンク２２内の水に肥料などを混ぜて、給水タンク２２から水と共に肥料などを供給するようにしてもよい。
【００３９】
一方、各有孔管１４の下流側端部は、第２配管２４を介して給水タンク２２に接続される。第２配管２４は、有孔管１４から排出される余剰水（排水）を給水タンク２２に戻すための配管であり、この第２配管２４には、ソーラー型循環ポンプなどの電動ポンプ２６が設けられる。これによって、用水循環システムが構成される。ただし、システム１０では、必ずしも用水を循環させる必要はなく、有孔管１４から排出される余剰の用水は、排水桝などに排出するようにしてもよい。
【００４０】
このようなシステム１０では、灌漑時には、給水タンク２２内の水が自然流下によって第１配管２０を介して各有孔管１４に供給される。有孔管１４内に流れ込んだ水は、有孔管１４に形成される貫通孔を通って畝１０２内の土中に供給される。有孔管１４から畝１０２内に供給された水は、遮水部材１２によって受け止められて、重力水または毛管水として遮水部材１２の内部（上側）に保持される。その後、遮水部材１２内の水は、毛細管現象によってその周囲に浸透していき、畝１０２内に毛管水状態の土壌部を形成する。この際、畝１０２内に遮水部材１２および有孔管１４が配置されていることから、畝１０２内に毛管水状態の土壌部が速やかに形成される。つまり、用水効果の発現が早い。また、水と共に肥料を供給する場合には、肥料が地下深くに浸透してしまう量が少なくなって畝１０２内に効率的に供給されるので、肥料効果が発現し易く、その即応性も高くなる。したがって、余分な肥料を使う必要が無くなり、使用する肥料の濃度ないし量を低減できる。
【００４１】
一方、畝１０２内に供給されずに有孔管１４の下流側端部まで到達した水は、余剰水として第２配管２４に排出され、電動ポンプ２６の動力によって給水タンク２２に戻される。
【００４２】
また、システム１０では、降雨時などにおいて畝１０２内に発生した余剰水は、遮水部材１２によって受け止められて、有孔管１４の貫通孔から有孔管１４内に導かれる。そして、畝１０２内から有孔管１４内に排出された水は、第２配管２４を介して給水タンク２２に戻されて貯留される。すなわち、有孔管１４の内部空間は、用水を畝１０２内に供給する給水路として用いられると共に、畝１０２内に発生した余剰水を集めて排出する排水路として用いられる。この際、畝１０２内に遮水部材１２および有孔管１４が配置されていることから、畝１０２内に発生した余剰水は、速やかに有孔管１４内に排出される。つまり、排水効果の発現が早いので、水分過多による作物への悪影響を低減できる。また、畝溝１０４への水の流出が少なくなるので、足場を乾燥した状態に維持し易く、作業性が向上する。さらに、この実施例では、遮水部材１２の上面は、有孔管１４に向かって下り勾配となっているため、畝１０２内の余剰水が有孔管１４内に導かれ（排出され）易い。
【００４３】
さらに、システム１０では、有孔管１４は、畝１０２内を長手方向に貫通する空気通路にもなるので、畝１０２の土中に空気が入り易くなり、作物の生育が良くなる。
【００４４】
また、図３および図４に示すように、システム１０は、用水需要期が過ぎた時点で、遮水部材１２および有孔管１４を残し、それ以外の第１配管２０および第２配管２４などは撤去される。つまり、圃場１００に用水を供給する必要がないときには、システム１０は、排水仕様に変更されて、有孔管１４の両端部は開放状態にされる。システム１０を排水用途のみに使用する場合には、畝１０２内から有孔管１４内に排出された余剰水は、有孔管１４の下流側端部から、畝１０２の下流側端部と畦畔１０６との間に形成した排水溝１０８に排出されて、排水溝１０８から既設の排水桝１１０に流し込まれる。このように、有孔管１４の両端部を開放端としておくことにより、畝１０２の土中に空気がより入り込み易くなり、作物の生育がより良くなる。なお、有孔管１４の下流側端部同士は、排水桝１１０まで延びる連結管によって連結しておいてもよい。
【００４５】
続いて、上述のようなシステム１０を用いる田畑転換方法について説明する。システム１０は、上述のように、水田として利用していた圃場１００を畑地に転換するときに施工されて、圃場１００を水田に戻すときには撤去される。
【００４６】
この実施例の田畑転換方法では、圃場１００を水田から畑地に転換するときには、圃場１００に畝１０２を形成すると共に、その畝１０２の内部に遮水部材１２と有孔管１４とを施工する。たとえば、畝１０２を形成する位置に合わせて、圃場１００の表面に溝状の遮水部材１２を載置し、さらにその遮水部材１２の上に有孔管１４を載置する。その後、畝立て器を装着したトラクター等の営農機械を用いて、遮水部材１２および有孔管１４の両側に畝溝１０４を形成しつつ、その際に取り出した土を遮水部材１２および有孔管１４に被せるようにして積み上げることで、畝１０２を形成する（畝立てする）。これによって、畝１０２内に埋設された遮水部材１２および有孔管１４が施工される。このように、この実施例では遮水部材１２および有孔管１４を畝１０２内に埋設（つまり浅埋設）するので、掘削専用機械などを用いた掘削作業が不要となり、トラクター等の営農機械での施工が可能となる。すなわち、遮水部材１２および有孔管１４が容易となり、その施工コストが大幅に低減される。
【００４７】
ただし、トラクター等の営農機械に対してロール状に巻き取った遮水部材１２および有孔管１４を装着する等して、畝立てしながら遮水部材１２および有孔管１４を施工することもできる。つまり、畝立てと遮水部材１２および有孔管１４の施工とを略同時に行うこともできる。
【００４８】
畝１０２内への遮水部材１２および有孔管１４の施工が終わると、続いて、給水タンク２２を設置すると共に、各有孔管１４の上流側端部を第１配管２０によって連結し、第１配管２０の上流側端部を給水タンク２２に接続する。また、各有孔管１４の下流側端部を第２配管２４によって連結し、第２配管２４に電動ポンプ２６を設けると共に、第２配管２４の下流側端部を給水タンク２２に接続する。これによって、システム１０の施工が完了するので、その後、システム１０を用いて灌漑排水を行いながら圃場１００で畑作を行う。
【００４９】
また、栽培する作物の種類に応じて畝１０２を立て替えるときには、既設の遮水部材１２および有孔管１４を撤去すると共に、新しく形成した畝１０２の内部に、遮水部材１２および有孔管１４を施工し直す。このような施工のやり換えは、遮水部材１２および有孔管１４が地下深くではなく、畝１０２内に埋設されていることから可能となるものである。また、施工のやり換えの際には、既設の遮水部材１２および有孔管１４を再利用すれば、無駄を無くすことができる。ただし、遮水部材１２および有孔管１４は必ずしも再利用される必要はない。
【００５０】
さらに、圃場１００に用水を供給する必要がないときには、上述のように、第１配管２０および第２配管２４などは撤去されて、システム１０は、排水仕様に変更される。また、システム１０を用水循環システムに戻す場合には、第１配管２０および第２配管２４などが再施工される。このような第１配管２０および第２配管２４などの撤去および再施工も、遮水部材１２および有孔管１４が畝１０２内に埋設されていることから可能となるものである。
【００５１】
なお、システム１０を施工する前に、圃場１００の地中に暗渠管および弾丸暗渠などの暗渠を施工しておくこともできる。この暗渠は、畑作時および稲作時に関係なく、その寿命がくるまで常設されるものである。これによって、圃場１００の排水性能をより向上させることができるので、より適切に畑作または稲作を行うことができる。
【００５２】
一方、圃場１００を畑地から水田に戻すときには、畝１０２を解体すると共に、遮水部材１２および有孔管１４を含むシステム１０を圃場１００から撤去する。また、圃場１００において稲作を行った後、圃場１００を畑地に再転換するときには、畝１０２の内部に埋設される遮水部材１２および有孔管１４を含むシステム１０を再施工するとよい。このような遮水部材１２および有孔管１４の撤去および再施工も、上述と同様に、遮水部材１２および有孔管１４が畝１０２内に埋設されていることから可能となるものである。また、再施工の際には、既設の遮水部材１２および有孔管１４を再利用することで、無駄を無くすことができる。
【００５３】
以上のように、この実施例によれば、遮水部材１２および有孔管１４を畝１０２内に埋設するので、システム１０の施工および撤去を容易かつ低コストで実行できる。したがって、水田から畑地への転換、および畑地から水田への再転換も容易に実施できる。また、遮水部材１２および有孔管１４を畝１０２内に埋設することで、用排水効果の発現が早くなるので、水田から転換した畑地においても灌漑排水を適切に実行できる。
【００５４】
次に、図５を参照して、この発明の他の実施例であるシステム１０について説明する。この実施例では、各有孔管１４の上流側端部に自動給水装置３０を設ける点が、上述の実施例と異なる。その他の部分については同様であるので、上述の実施例と共通する部分については、同じ参照番号を付し、重複する説明は省略または簡略化する。
【００５５】
図５に示す実施例では、各有孔管１４の上流側端部に自動給水装置（水位管理装置とも言う。）３０が設けられて、各遮水部材１２内（有孔管１４内）の水位ないし有孔管１４への給水量が個別に管理される。自動給水装置３０としては、公知のものを適宜利用可能であるが、たとえば、図６に示すような、本出願人らによる特願２０１６−６３０３９号「給水装置」に記載のものを用いることができる。
【００５６】
この実施例で用いる自動給水装置３０について簡単に説明しておく。図６に示すように、自動給水装置３０は、ケーシング３２と、外部から供給される水をケーシング３２内に放出するチューブ３４と、チューブ３４に連結されて、ケーシング３２内の水位に応じて上下動するフロート３６と、ケーシング３２内から水を取り出す送水管３８とを備える。そして、この実施例では、チューブ３４の上流側端部が第１配管２０に接続され、送水管３８の下流側端部が有孔管１４に接続される。このような自動給水装置３０では、ケーシング３２内の水位は、遮水部材１２内の水位と連動する。そして、ケーシング３２内の水位が所定水位になると、チューブ３４の易屈曲部３４ａが屈曲してチューブ３４が閉塞される。これにより、第１配管２０からケーシング３２への給水が停止され、送水管３８から有孔管１４への給水も停止される。したがって、ケーシング３２内の水位および遮水部材１２内の水位を所望水位に維持することが可能となる。
【００５７】
図５に示す実施例によれば、各有孔管１４に自動給水装置３０が設けられるので、各遮水部材１２内の水位ないし有孔管１４への給水量を個別に管理することが可能となる。したがって、栽培する作物の種類、或いは作物の成長度に応じた灌漑が可能となる。また、畝１０２ごとに肥料の供給量も調整できるので、畝１０２ごとの作物の発育調整が可能となり、需要に応じた作物の出荷が可能となる。
【００５８】
なお、図５に示す実施例では、各有孔管１４に対して個別に自動給水装置３０を設けているが、たとえば第１配管２０の上流側端部に自動給水装置３０を設けて、各遮水部材１２内（有孔管１４内）の水位を一括で制御するようにしてもよい。また、複数の有孔管１４ごとに自動給水装置３０を設けることもできる。
【００５９】
また、上述の各実施例では、１つの畝１０２に対して１組の遮水部材１２および有孔管１４を設けるようにしたが、幅の広い畝１０２であれば、１つの畝１０２に対して複数組の遮水部材１２および有孔管１４を並べて設けることもできる。また、１つの遮水部材１２に対して複数の有孔管１４を設けることもできる。
【００６０】
なお、上で挙げた寸法などの具体的数値は、いずれも単なる一例であり、製品の仕様などの必要に応じて適宜変更可能である。
【符号の説明】
【００６１】
１０  …灌漑排水システム
１２  …遮水部材
１４  …有孔管
２０  …第１配管
２２  …給水タンク
２４  …第２配管
２６  …電動ポンプ
３０  …自動給水装置
１００  …圃場
１０２  …畝
１０４  …畝溝
【図１】
2018166407.tif 000003
【図２】
2018166407.tif 000004
【図３】
2018166407.tif 000005
【図４】
2018166407.tif 000006
【図５】
2018166407.tif 000007
【図６】
2018166407.tif 000008